(57)【要約】【課題】  外壁を構成する外壁材に簡単な構成で横溝状をした立体的なアクセント柄を設ける。立体的なアクセント柄となるレールを利用して屋外に設置する棚や吊り具を簡単に取付ける。【解決手段】  外壁材１の外面部に横方向に細長い凹条溝２を形成する。前面側が開口した断面コ字状のレール本体３の前開口の上端縁又は下端縁部の少なくとも一方に全長にわたって開口内側方向に向けて引掛け用突片４を突設してレール５を形成する。レール５を外壁材１の外面部の凹条溝２に嵌め込んで外壁材１に固着する。【選択図】        図１
2009052346.tif 000002
【特許請求の範囲】
【請求項１】
外壁材の外面部に横方向に細長い凹条溝を形成し、前面側が開口した断面コ字状のレール本体の前開口の上端縁部又は下端縁部の少なくとも一方に全長にわたって開口内側方向に向けて引掛け用突片を突設してレールを形成し、該、レールを外壁材の外面部の凹条溝に嵌め込んで外壁材に固着して成ることを成ることを特徴とするレール付き外壁材。
【発明の詳細な説明】
【技術分野】
【０００１】
本発明は、建物の外壁を構成するための外壁材に関するものである。
【背景技術】
【０００２】
従来から、外壁材を施工して構成する外壁においては、外壁材のみが外部に露出して外観が単調になるという問題があった。
【０００３】
一方、隣接する外壁材同士をジョイナーで接続することで、外壁材同士を接続する目地部分にジョイナーがアクセントとして外観されるようなものが特許文献１により提供されている。
【０００４】
しかしながら、この特許文献１にあって、ジョイナーは外壁材同士を接続するものであり、また、外壁にアクセントを与えるといっても、外壁材同士を接続する目地部分のアクセントをしているのみで、外壁材自体の柄の立体的なアクセント効果はなく、外壁材は依然として外観が単調である。
【０００５】
また、従来にあっては、外壁に棚を形成したり、あるいは外壁に屋外で使用する小物類を吊り下げる吊り具を取付けようとする場合、外壁材の外面に直接棚や吊り具を釘や木ねじで固着していた。このため、外壁材を固着具で傷付け、また、固着具の打設位置から雨水が浸入するという問題があり、更に、外壁に取付ける棚や吊り具の位置を変更しようとする場合、別の位置に棚や吊り具を取付け直す作業が面倒であり、また、取り外した後に、固着具を引き抜いた跡が残り、外観が悪いと共に、この部分から雨水が浸入するという問題があった。
【特許文献１】実開平５−３８１１５号公報
【発明の開示】
【発明が解決しようとする課題】
【０００６】
本発明は上記の従来の問題点に鑑みて発明したものであって、外壁を構成する外壁材に簡単な構成で横溝状をした立体的なアクセント柄を設けることができ、また、この立体的なアクセント柄となるレールを利用して屋外に設置する棚や吊り具を簡単に取付けることができるレール付き外壁材を提供することを課題とするものである。
【課題を解決するための手段】
【０００７】
上記課題を解決するために本発明に係るレール付き外壁材は、外壁材１の外面部に横方向に細長い凹条溝２を形成し、前面側が開口した断面コ字状のレール本体３の前開口の上端縁部又は下端縁部の少なくとも一方に全長にわたって開口内側方向に向けて引掛け用突片４を突設してレール５を形成し、該、レール５を外壁材１の外面部の凹条溝２に嵌め込んで外壁材１に固着して成ることを成ることを特徴とするものである。
【０００８】
このような構成とすることで、外壁材１の外面部の凹条溝２に嵌め込んで固着したレール５が横溝状をした立体的で色や材質感等の異なるアクセント柄となり、外壁の高級感を現出する。また、この外壁材１の外面部の凹条溝２に嵌め込んで固着したレール５の引掛け用突片４を利用して、棚板１０や吊り具１１に設けた引掛け部１２を引っ掛けて取付けることができ、これにより、外壁材１の外面部の横方向の任意の位置に、棚板１０や吊り具１１を自由に取付けることができて、屋外に設置するプランターなどを棚板１０に載せたり、あるいは、吊り具１１に屋外で使用する箒や、スコップなどの園芸用品や、屋外で使用する照明器具などを吊り下げることができる。また、このように外壁材１の外面に立体的で色や材質感等の異なるアクセント模様を形成するに当たって、外壁材１の外面部の凹条溝２にレール５を嵌め込んで固着するだけで簡単に構成できる。
【発明の効果】
【０００９】
本発明は、上記のように構成したので、外壁材の外面部の凹条溝にレールを嵌め込んで固着するという簡単な構成で、外壁材の外面に横溝状をした立体的で色や材質感等の異なるアクセント柄を設けることができ、また、この立体的で色や材質感等の異なるアクセント柄となるレールを利用して外壁材の横方向の任意の位置に屋外に設置する棚や吊り具を簡単に取付けることができる。
【発明を実施するための最良の形態】
【００１０】
以下、本発明を添付図面に示す実施形態に基いて説明する。
【００１１】
外壁材１は横方向に長いもので、金属サイジング製、あるいはセメント系ものである。
【００１２】
添付図面に示す実施形態では金属サイジング製のものの例が示してあり、外壁材１の主体を構成する金属板１ａの背面側には発泡合成樹脂、セメント系等の芯材１ｂが積層一体化してある。
【００１３】
この外壁材１の外面部には金属板１ａ、芯材１ｂとも横方向に細長く凹ませて横方向に細長い凹条溝２を形成してある。
【００１４】
レール５は金属製又は合成樹脂製で横方向に細長いもので、主体を構成するレール本体３は断面コ字状をしていて外壁材１の外面部に形成した凹条溝２にぴったりと嵌り込む断面形状をしており、この前面側が開口した断面コ字状のレール本体３の前開口の上端縁又は下端縁部の少なくとも一方に全長にわたって開口内側方向に向けて引掛け用突片４を突設してレール５を形成してある。
【００１５】
添付図面に示す実施形態では、レール本体３の前開口の上縁部から下方に引っ掛け用突片４を一体に突設すると共に下縁部から上方に引っ掛け用突片４を一体に突設している例が示してある。
【００１６】
また、レール本体３の前開口の上縁部から上方に開口縁部の全長にわたって上覆い部７を一体に突設してあり、更に、レール本体３の前開口の下縁部から下方に開口縁部の全長にわたって下覆い部８を一体に突設してある。
【００１７】
上記の構成のレール５はレール本体３を外壁材１の外面部に形成した凹条溝２に嵌め込み、ビス９によりレール本体３部分をビス９により外壁材１に固着する。このように凹条溝２にレール本体３部分を嵌め込んで取付けた状態で、外装材１の外面の凹条溝２の開口の上縁部分に上覆い部７が重なってこの部分を覆うと共に、外装材１の外面の凹条溝２の開口の上縁部分に下覆い部８が重なってこの部分を覆うことになる。
【００１８】
このように外壁材１の外面部の凹条溝２に嵌め込んで固着したレール５が横溝状をした立体的で色や材質感等の異なるアクセント柄となり、外壁の高級感を現出することになる。ここで、外壁材１の外面部に立体感を現出するために横方向に細長い長い凹条溝２を設けると、外壁材１の凹条溝２部分を設けた部分に厚みが部分的に薄くなるが、レール５が金属製であると、この外壁材１の凹条溝２部分を金属製のレール５を嵌め込むことで補強することができることになる。
【００１９】
また、この外壁材１の外面部の凹条溝２に嵌め込んで固着したレール５の引掛け用突片４を利用して、棚板１０や吊り具１１に設けた引掛け部１２を引っ掛けて取付けることができる。
【００２０】
図３には棚板１０を取付けた例が示してある。棚板１０には後端部の上部にＬ状をした引掛け部１２を突設すると共に、後端部の下部に当て部１９を設けたもので、レール本体３の開口部の上縁部に設けた下向きの引掛け用突片４に、棚板１０の引掛け部１２を引掛けると共に、当て部１９を接続用レール２の前面下部又は下の外壁材１の表面の上端部に当接することで、棚板１０を取付けるようになっている。そして、該棚板１０上に屋外に設置する種々の小物、例えば、プランターなどを載置することができる。
【００２１】
また、図４には吊り具１１を取付けた例が示してある。吊り具１１はＪ字状をした吊り具本体部１１ａの後片１１ｂの上端にＬ状をした引掛け部１２を突設すると共に後片１１ｂが当て部１９となったもので、レール本体３の開口部の上縁部に設けた下向きの引掛け用突片４に、吊り具１１の引掛け部１２を引掛けると共に、当て部１９を接続用レール２の前面下部又は下の外壁材１の表面の上端部に当接することで、吊り具１１を取付けるようになっている。そして、該吊り具１１には屋外で使用する箒、スコップ、屋外で使用する照明器具などの園芸用品等の屋外で使用する小物を吊り下げることができる。
【００２２】
また、上記棚板１０、吊り具１１は接続用レール２の長手方向の任意の位置に取付けることができ、また、必要でない場合には取り外すことができる。
【００２３】
また、上記図３、図４の実施形態においては、レール本体３の開口部の上縁部に設けた下向きの引掛け用突片４に棚板１０や吊り具１１の引掛け部１２に引っ掛けた例を示したが、レール本体３の開口部の下縁部に設けた上向きの引掛け用突片４に棚板１０や吊り具１１の引掛け部１２を引掛けるようにしたものでもよく、この場合は、図示を省略しているが、引掛け部１２としては上向きの引掛け用突片４に上方から引っ掛けることができるような形状をしている。また、引掛け部１２としては、レール本体３の開口部の上縁部及び下縁部の両方に設けた上下の引掛け用突片４の双方に棚板１０や吊り具１１の引掛け部１２を引っ掛けるような構造であってもよい。
【００２４】
なお、レール５の取付けに当たっては、予め工場で外壁材１の凹条溝２にレール５を取付けておいてもよく、また、現場で外壁材１の凹条溝２にレール５を取付けてもよい。また、外壁材１を施工した後、必要に応じて凹条溝２にレール５を取付けてもよい。
【００２５】
予め工場で外壁材１の凹条溝２にレール５を取付けるものにおいては、外壁材１のレール５が外壁材１の外面から殆ど突出しないので、レール５付き外壁材１の梱包、搬送が従来のレール５を取付けない外壁材１の梱包、搬送と同じにできることになる。
【図面の簡単な説明】
【００２６】
【図１】本発明の一実施形態の断面図である。
【図２】同上の斜視図である。
【図３】同上の接続用レールに棚板を引っ掛けて取付けた状態を示す断面図である。
【図４】同上の接続用レールに吊り具を引っ掛けて取付けた状態を示す断面図である。
【符号の説明】
【００２７】
１  外壁材
２  凹条溝
３  レール本体
４  引掛け用突片
５  レール
【図１】
2009052346.tif 000003
【図２】
2009052346.tif 000004
【図３】
2009052346.tif 000005
【図４】
2009052346.tif 000006